(57)【要約】【課題】反応効率をさらに向上させることができ、反応生成物や反応に使用した触媒の分離と抽出を同時に行うことができるマイクロリアクターを提供する。【解決手段】導入口２ａから第１の反応液ａを導入し、導入口２ｂから第１の反応液ａと相溶性のない第２の反応液ｂをそれぞれのマイクロチャンネル１ａ、１ｂを流通させて、上下間に連続界面５を形成し、そこで界面反応を行う。そして得られた反応生成物と未反応液は回収口３ａと３ｂから回収する。有機金属錯体や酵素などによる相溶しない流体間での触媒反応に適している。【選択図】    図１
2004181298.tif 000002
【特許請求の範囲】
【請求項１】
それぞれ、供給口と導出口を有する複数の反応流体流路のための複数のマイクロチャネルを多段に設け、それぞれのマイクロチャネルの中間に、それぞれのマイクロチャネルが上下に合体する合体チャネルを形成し、この合体チャネルの上下方向の中間に、それぞれのマイクロチャネルからの反応流体が接する連続反応界面域を形成したマイクロチャネル構造を有するマイクロリアクター。
【請求項２】
連続反応界面域が複数箇所に連続して形成されたマイクロチャネル構造を有する請求項１に記載のマイクロリアクター。
【請求項３】
それぞれ、供給口と導出口を有する複数の反応流体流路のための複数のマイクロチャネルを多段に設け、それぞれのマイクロチャネルの中間に、それぞれのマイクロチャネルが上下に合体する合体チャネルを形成し、この合体チャネルの上下方向の中間に、それぞれのマイクロチャネルからの反応流体が接する連続反応界面域を形成したマイクロチャネル構造を有するマイクロリアクターによる反応方法であって、それぞれの供給口から供給される複数の反応流体が相溶しない反応流体であって、その一つが触媒を含む流体であり、連続反応界面域における反応によって得られた反応生成物と使用された触媒を含む流体を前記それぞれの導出口から別々に抽出回収する反応方法。
【請求項４】
反応に用いる触媒が有機金属錯体、酵素、相関移動触媒である請求項３に記載の反応方法。
【発明の詳細な説明】
【０００１】
【発明の属する技術分野】
本発明は、セラミックやガラスなどの基板上にマイクロチャネルを持つマイクロリアクターとそれを用いた化学反応に関する。
【０００２】
【従来の技術】
このマイクロリアクター自体は、例えば、特許文献１に記載されているように広く知られており、ガラス、セラミックス基板上に１０〜１０，０００マイクロメートルの幅と、１０マイクロメートル〜１メートル長さのマイクロチャネルを形成し、そこに二つの反応流体を流して、二つの反応流体が接する界面領域で化学反応を起こす反応装置である。
【０００３】
【特許文献１】
特表２００１−５２１８１６号
このマイクロリアクターを利用することによって、マイクロチャネルを通過する反応流体の体積に対する表面積・界面積の比率を大きく採ることができ、とくに、界面を利用した化学反応の効率化が期待でき、触媒反応を含む流体化学反応の制御性が向上し、反応生成物の収率と純度の向上が期待できる。さらには、光学活性化合物の不斉合成法として、無機触媒に比べ高価な有機金属錯体や酵素などの有機分子を触媒に用いるプロセス化をする上で、触媒分子の再利用が可能であり、コスト面でも有利とされている。
【０００４】
【発明が解決しようとする課題】
本発明は、反応効率をさらに向上させることができ、反応生成物や反応に使用した触媒の分離と抽出を同時に行うことができるマイクロリアクターを提供する。
【０００５】
【課題を解決するための手段】
本発明は、マイクロリアクターにおけるマイクロチャネル内では、レイノルズ数が小さいため、反応流体の流れが層流になるという現象を利用して、積極的に反応界面を広く長く形成して、流体間の反応をより効率化するものである。
【０００６】
すなわち、本発明は、それぞれ、供給口と導出口を有する複数の反応流体流路のための複数のマイクロチャネルを多段に設け、それぞれのマイクロチャネルの中間に、それぞれのマイクロチャネルが上下に合体する合体チャネルを形成し、この合体チャネルに連続反応界面域を形成したマイクロチャネル構造を有することを特徴とする。
【０００７】
これによって、それぞれの流体の体積に対する界面積の比率を大きく形成でき、この連続界面を反応場とし、反応生成物と反応触媒の反応液の分離・抽出・回収を同時に行うことができ、従来の２相分配プロセスに比べ、反応を効率化することができる。
【０００８】
それぞれのマイクロチャネルの連続界面として体積に対する界面積の比率を大きく形成するためには、少なくともマイクロチャネルが合流する界面域を連続した扁平状とするのがよい。
【０００９】
本発明のマイクロリアクターは、気体、液体の流体間の反応に適用できるが、界面反応を利用するので、水・気体・液体を問わずに相溶しない流体であれば形成可能であり、とくに、有機金属錯体や酵素などによる相溶しない流体間での触媒反応に適しており、反応生成物の抽出と同時に触媒の分離と回収を行うことができる。
【００１０】
さらに、本発明のマイクロリアクターは、１つ反応界面に限らず、複数の反応界面を連続的に形成することができ、これによって、３種類以上の反応流体、たとえば気体、有機溶媒、水溶液、フッ化炭化水素溶媒等による反応に利用することができる。また、複数の触媒を用いることにより連続して多段階の触媒反応を効率よく行うことも可能となる。
【００１１】
【発明の実施の形態】
添付図は、本発明のマイクロリアクターのマイクロチャンネル構造の実施の形態を示す。
【００１２】
図１は２つの反応流体のためのマイクロリアクターのマイクロチャンネル構造１０を示す。図２は、図１の断面を矢印Ａ−Ａから見た反応界面の構成図を示す。
【００１３】
これらの図において、１ａと１ｂは、反応に対して不活性な材料、例えば、セラミックス基板またはガラス基板にマイクロドリルにより形成した幅４００マイクロメートル、深さ４００マイクロメートルの断面が基本的に正方形をなす反応流体ａとｂの流路をなすマイクロチャンネルを示す。２ａと２ｂは、基板の上面または側面に形成されたそれぞれの反応流体を導入口を示し、３ｃと３ｄは、反応生成物あるいは反応触媒を回収するための回収口を示す。相溶しない反応流体の場合、比重の軽い方を上方から、比重の重い方を下方から導入し、抽出するように、導入口２ａと２ｂと、反応生成物の回収口３ｃと３ｄを形成する。
【００１４】
４は、それぞれのマイクロチャンネル１ａと１ｂが合体した合体部分を示す。この合体部分４には、それぞれの反応流体の導入口２ａと２ｂとから導入された反応流体ａ、ｂは、マイクロチャンネル１ａと１ｂを経て、層流状態を維持しつつ流れ込み、上方を流れる反応流体ａと下方を流れる反応流体ｂとの間に連続した反応界面５が形成される。
【００１５】
そして、反応界面５において接触反応した反応流体ａとｂとの反応生成物あるいは反応済み触媒ｃ、ｄは、それぞれのマイクロチャンネル１ａと１ｂと連通した回収口３ｃと３ｄから抽出回収される。
【００１６】
図３は、３つの反応流体のためのマイクロチャンネル構造２０を示す。図３はマイクロリアクターの側面から見た図である。
【００１７】
【実施例】
（実施例１）
図１と図２に示す２流体用のマイクロリアクタを用いて、酵素リパーゼを触媒として、ＤＬ−フェニルアラニンエチルエステル塩酸塩の加水分解を行った。
【００１８】
導入口２ａから、第１の反応液ａとして、触媒液であるｐＨ８．０のリン酸緩衝液に溶解した酵素リパーゼを導入し、導入口２ｂから、また、第２の反応液ｂとして、反応液であるクロロホルムに溶解したＤＬ−フェニルアラニンエチルエステル塩酸塩を導入し、それぞれのマイクロチャンネル１ａ、１ｂを流通させて、チャンネル合体部４に導き、連続界面５を形成した。そこで、室温の条件で加水分解反応を行った。
【００１９】
得られた反応生成物ｃを回収口３ｃから加水分解を受けたＬ―フェニルアラニンを、同時に、回収口３ｄからは未反応のＤ−フェニルアラニンを含む触媒液ｄを回収口３ｄから回収した。
【００２０】
（実施例２）
実施例１の場合と同様のリアクターを用いて、導入口２ａから、予め調製しておいたＤＬ−５−フェニルヒダントインの酢酸エチル溶液と、導入口２ｂから、Ｄ−ヒダントイナーゼをはんリン酸緩衝液（ｐＨ８．５）に溶かした溶液をそれぞれのマイクロチャンネル１ａ、１ｂを流通させたところ、チャンネル合体部４に導き、連続界面５において触媒反応を行い、得られた反応生成物ｃを回収口３ｃから水相の酵素とＤ−フェニルグリシンを回収し、同時に回収口３ｄからは有機相である未反応のＬ−５−フェニルヒダントインを回収した。
【００２１】
（実施例３）
実施例１で使用したものと同様のリアクターを使用し、導入口２ａから、予め調製しておいたオレイン酸と１−ヘキサノールを等モル（１００ｍｏｌ／Ｌ）溶解したクロロホルム溶液を、また、導入口２ｂから、リパーゼをリン酸緩衝液に溶解した溶液をそれぞれマイクロチャンネル１ａ、１ｂを流通させ、チャンネル合体部４に導き、連続界面５において、室温の条件下で、図４に示すエステル化反応を行った。そして、反応生成物ｃである有機相からエステルを反応生成物回収口３ｃから回収し、同時に、水相は回収口３ｄから回収し、リパーゼを回収した。反応時間４分程度で、８０％の収率を得た。図５は、反応液の薄相クロマトグラフ分析の状態を示すもので、目的物であるエステルｃは、ヘキサノール、オレイン酸、油層から完全に分離できる状態にあった。
【００２２】
【発明の効果】
本発明によって、マイクロチャネル内に、相溶しない流体を流通させて連続界面を形成し、その界面を反応場として触媒反応と同時に、抽出・分離・回収を連続して行うことができる。
【００２３】
また、化学産業で重要である有機分子を用いた触媒反応を容易に効率化することができる上、分離・抽出・回収操作をも集積化した次世代型のマイクロリアクターを提供することができる。
【００２４】
さらに、マイクロチャネルの流体操作性を利用すれば、反応終了後に反応液から触媒分子を分離・回収することが可能となり、これを利用することによって効率的なプラントの構築が可能となる。
【図面の簡単な説明】
【図１】本発明に係るマイクロリアクターのマイクロチャンネル構造を示す。
【図２】図１の断面を矢印Ａ−Ａから見た反応界面の構成図を示す。
【図３】本発明に係るマイクロリアクターのマイクロチャンネル構造の他の例を示す。
【図４】実施例３における反応を示す。
【図５】実施例３で行った反応の結果を示す。
【符号の説明】
１０，２０    マイクロチャンネル構造
１ａ、１ｂ    マイクロチャンネル
２ａ、２ｂ    反応流体の導入口
３ｃ、３ｄ    回収口
４            チャンネル合体部
５            反応界面
【図１】
2004181298.tif 000003
【図２】
2004181298.tif 000004
【図３】
2004181298.tif 000005
【図４】
2004181298.tif 000006
【図５】
2004181298.tif 000007